(57)【要約】【課題】筐体を小型化しつつ、吹出口から吹き出された風の吹出し方向を変えることができ、本体を片手で安定して持ち運ぶことが可能な空気調和機を提供する。【解決手段】筐体１０の上面１８の一部を水平方向に一定の深さと幅を持たせて堀り下げ、その底部に吹出口２２を設けた溝部１２と、筐体１０の上面１８の中央を通り、溝部１２の上を跨いで交差させ、筐体１０の上面位置に沿って水平方向に固定配置された取っ手部１３と、取っ手部１３が溝部１２の上を跨いで上方に開口した第１および第２開口部１４，１５と、吹出口２２の上方にある第１開口部１４を取っ手部１３と接して全体を覆う全閉状態から全開状態までの開度と風向とが変えられるルーバ１６とを備え、吹出口２２から上方へ吹出された空気がルーバ１６の開度に応じて、第１開口部１４と第２開口部１５とに分岐して吹出される。【選択図】        図２
2013032858.tif 000002
【特許請求の範囲】
【請求項１】
空気の吸込口と吹出口とを有し、前記吸込口と前記吹出口とを結ぶ空気通路を内部に有する筐体と、
前記筐体の上面の一部を堀り下げて形成し、その底部に前記吹出口が設けられた溝部と、
前記筐体の上面の中央を通り、前記溝部の上を跨ぐように前記筐体の上面位置に沿って水平方向に固定配置された取っ手部と、
前記取っ手部が前記溝部の上を跨ぐことで上方に開口された第１および第２開口部と、
前記吹出口の上方にある前記第１開口部を開閉するルーバと、
を備え、
前記吹出口から上方へ吹出された前記空気が前記ルーバの開度に応じて、前記第１開口部と前記第２開口部とに分岐して吹出されることを特徴とする空気調和機。
【請求項２】
前記取っ手部の下部側に段差部が設けられ、
前記ルーバが全閉状態の時に、前記吹出口から上方へ吹出された前記空気は、前記ルーバに当たって前記段差部で一旦押し下げられた後、前記第２開口部から水平方向に吹出されることを特徴とする請求項１に記載の空気調和機。
【請求項３】
前記ルーバは、一端が回動可能に支持された単板で構成され、その先端部が前記取っ手部と接した状態で前記第１開口部全体を覆い、前記先端部と前記取っ手部とが離れて全開状態になることを特徴とする請求項１または２に記載の空気調和機。
【請求項４】
前記ルーバは、前記全閉状態から前記全開状態までの間において所定の開度と風向位置で止めることのできる節度機構を備えていることを特徴とする請求項１〜３のいずれか一つに記載の空気調和機。
【発明の詳細な説明】
【技術分野】
【０００１】
本発明は、本体上面に吹出口が設けられ、吹出口から吹出される風を所定方向に導く送風路を備えた空気調和機に関する。
【背景技術】
【０００２】
従来、空気調和機本体の上面に吹出口が設けられていて、その上に吹出口から吹き出された風を所定方向に導く送風路が配置され、その送風路の一部が本体を持ち運ぶ際の取っ手として兼用されている構造を備えた空気調和機が開示されている（特許文献１参照）。
【先行技術文献】
【特許文献】
【０００３】
【特許文献１】特開２００６−１１８８５６号公報
【発明の概要】
【発明が解決しようとする課題】
【０００４】
しかしながら、上記の特許文献１にあっては、空気調和機本体の上面に吹出口が設けられ、その吹出口から吹き出された風を導くための送風路を吹出口のさらに上部に設けることにより、開口部が正面を向くように配置されている。そして、その送風路の一部は、空気調和機本体を持ち運ぶ際の取っ手と兼用している。このため、特許文献１は、取っ手を兼ねた開口部の高さ分だけ機器本体が大型化するという問題があった。
【０００５】
また、上記の特許文献１にあっては、送風路を構成している空気誘導部が固定であるため、開口部の吹出口が前方向のみとなり、風が直接人に当たる他、室内の空気を循環させるサーキュレーション効果が劣るという問題があった。
【０００６】
本発明は、上記に鑑みてなされたものであって、本体の上面に吹出口が設けられ、その吹出口から吹出された風を導く送風路を設けても機器本体が大型化することがなく、風の吹出し方向を変えることができ、本体を片手で安定して持ち運ぶことが可能な空気調和機を提供することを目的とする。
【課題を解決するための手段】
【０００７】
上述した課題を解決し、目的を達成するために、本発明の空気調和機は、空気の吸込口と吹出口とを有し、前記吸込口と前記吹出口とを結ぶ空気通路を内部に有する筐体と、前記筐体の上面の一部を堀り下げて形成し、その底部に前記吹出口が設けられた溝部と、前記筐体の上面の中央を通り、前記溝部の上を跨ぐように前記筐体の上面位置に沿って水平方向に固定配置された取っ手部と、前記取っ手部が前記溝部の上を跨ぐことで上方に開口された第１および第２開口部と、前記吹出口の上方にある前記第１開口部を開閉するルーバと、を備え、前記吹出口から上方へ吹出された前記空気が前記ルーバの開度に応じて、前記第１開口部と前記第２開口部とに分岐して吹出されることを特徴とする。
【０００８】
また、本発明の空気調和機において、前記取っ手部の下部側に段差部が設けられ、前記ルーバが全閉状態の時に、前記吹出口から上方へ吹出された前記空気は、前記ルーバに当たって前記段差部で一旦押し下げられた後、前記第２開口部から水平方向に吹出されることが好ましい。
【０００９】
また、本発明の空気調和機において、前記ルーバは、一端が回動可能に支持された単板で構成され、その先端部が前記取っ手部と接した状態で前記第１開口部全体を覆い、前記先端部と前記取っ手部とが離れて全開状態になることが好ましい。
【００１０】
また、本発明の空気調和機において、前記ルーバは、前記全閉状態から前記全開状態までの間において所定の開度と風向位置で止めることのできる節度機構を備えていることが好ましい。
【発明の効果】
【００１１】
本発明によれば、筐体を小型化しつつ、吹出口から吹き出された風を前方側から上方まで吹出し方向を変えることができ、本体を片手で安定して持ち運ぶことが可能な空気調和機が得られるという効果を奏する。
【図面の簡単な説明】
【００１２】
【図１】図１は、本発明の実施例にかかる空気調和機の外観斜視図である。
【図２】図２は、図１のＷ−Ｗ線断面図である。
【図３】図３は、ルーバの回転軸部分を示す斜視図である。
【図４】図４は、ルーバを取り外した空気調和機の上面斜視図である。
【図５】図５は、図４の空気調和機にルーバを取り付けた状態を示す斜視図である。
【図６】図６は、空気調和機のルーバを閉じた状態の断面図である。
【図７】図７は、空気調和機のルーバを開いた状態の断面図である。
【図８】図８は、図２に示す空気調和機の吹出口付近の風の流れを示す模式図である。
【図９】図９は、図８においてルーバを全開した状態を示す模式図である。
【図１０】図１０は、図２の矢印Ｘ方向からの矢指図である。
【発明を実施するための形態】
【００１３】
以下に、本発明にかかる空気調和機の実施例を図面に基づいて詳細に説明する。なお、以下の説明により本発明が限定されるものではない。また、以下の説明による構成要素には、当業者が置換可能かつ容易なもの、或いは実質的に同一のもの、いわゆる均等の範囲のものが含まれる。また、この実施例に記載された複数の変形例は、当業者自明の範囲内にて任意に組み合わせが可能である。
【実施例１】
【００１４】
まず、空気調和機の外観の構成について説明する。図１は、本発明の実施例にかかる空気調和機の外観斜視図であり、図２は、図１のＷ−Ｗ線断面図である。
【００１５】
空気調和機１００は、ここでは気化フィルタを用いて空気を加湿する加湿機能と、触媒フィルタを用いて空気の脱臭処理を行う脱臭機能の両方を備えている。この空気調和機１００は、図１および図２に示すように、合成樹脂パネルで成形された直方体状の筐体１０を有している。筐体１０の背面には、図２に示すように、空気の吸込口２１が形成されている。また、空気調和機１００の上面１８には、ユーザが空気調和機１００を運転操作するための各種ボタンやランプ等が配置された操作パネル２３が配されている。
【００１６】
本実施例１にかかる空気調和機１００は、図２に示すように、筐体１０に空気の吸込口２１と吹出口２２とが設けられていて、その吸込口２１と吹出口２２とを結ぶ空気通路２４が内部に形成されている。
【００１７】
本実施例１にかかる空気調和機１００の特徴的な構成は、筐体１０の上面１８の一部に水平方向に所定の深さと幅とを持たせて堀り下げられた溝部１２が形成され、この溝部１２の底部には、上述した吹出口２２が設けられている。そして、取っ手部１３は、棒状の取っ手が筐体１０の上面１８の中央を通っており、溝部１２の上を跨ぐように筐体１０の上面１８に沿って水平方向に固定配置されている。
【００１８】
また、取っ手部１３は、溝部１２の上を跨ぐことで、上方に開口した第１開口部１４と第２開口部１５とを形成している。そして、吹出口２２の上方にある第１開口部１４は、取っ手部１３と接するルーバ１６の開き具合によって、全体を覆う全閉状態から、全体を開く全開状態までの開度と風向とを変えられるようになっている。このため、ルーバ１６が全閉状態の時は、吹出口２２から吹出された空気が溝部１２を通って、第２開口部１５から吹出される。また、ルーバ１６が開いている状態の時は、ルーバ１６の開度に応じて、吹出口２２から吹出された空気が第１開口部１４と第２開口部１５に分岐して吹出される。もう一方の第２開口部１５は、溝部１２の斜面を緩やかに形成した開口部斜面１９を備えている。
【００１９】
また、図２に示すように、実施例１にかかる空気調和機１００は、取っ手部１３とルーバ１６とが接する部分よりも下部側に段差部１７が図２の奥行き方向に沿って延在されている。この段差部１７は、ルーバ１６が全閉状態の時に、吹出口２２から上方へ吹出された空気がルーバ１６に沿って前記第２開口部１５へ向かって流れ、段差部１７で一旦押し下げる空気の流れを作り出す作用を持っている。
【００２０】
続いて、図３〜図７を用いて、ルーバの開閉機構を説明する。図３は、ルーバの回転軸部分を示す斜視図であり、図４は、ルーバを取り外した空気調和機の上面斜視図であり、図５は、図４の空気調和機にルーバを取り付けた状態を示す斜視図であり、図６は、空気調和機のルーバを閉じた状態の断面図であり、図７は、空気調和機のルーバを開いた状態の断面図である。
【００２１】
ルーバ１６は、図３に示すように、矩形形状の板の一端の両側から回転軸１６ａが突き出てていて、その回転軸１６ａの付け根部分に放射状の凹凸部が形成された扇形の節度機構１６ｂが固定されている。また、ルーバ１６の他端には、ルーバ１６を手動で開閉する際の持ち手１６ｃが形成されている。ルーバ１６を取り付ける第１開口部１４の両端には、図４に示すように、ルーバ１６の回転軸１６ａの軸受け部１０ａが設けられ、その直下には突起１０ｂが形成されている。この突起１０ｂは、ルーバ１６の回転軸１６ａを第１開口部１４の軸受け部１０ａに貫入する際に、節度機構１６ｂの凹凸部と係合し、ルーバ１６を開閉させると節度機構１６ｂの凹凸部に突起１０ｂが入り込み、所定の角度でルーバ１６を止めることができる。
【００２２】
図５は、第１開口部１４にルーバ１６を取り付け、第１開口部１４から上方へ風が吹出せるように、ルーバ１６を垂直位置まで開いた状態を示している。ルーバ１６の節度機構１６ｂは、この位置の凹凸部に突起１０ｂが入り込むことで、ルーバ１６の角度を保持している。
【００２３】
また、ルーバ１６を閉じた場合は、図６に示すように、取っ手部１３に設けられた爪部１３ｃにルーバ１６の先端が当接し、これ以上ルーバ１６が下がらないように保持している。また、ルーバ１６を開いた場合は、図７に示すように、ルーバ１６が第１開口部１４の内壁部１０ｃに突き当たり、これ以上ルーバ１６が開かないように保持している。もちろん、節度機構１６ｂは、これに限るものではなく、モータ動力によりルーバ１６の角度を変更し、その位置を保持させるようにしても良い。
【００２４】
以上のように構成された空気調和機に基づいて、空気調和機の吹出口付近の風の流れを図２、図８および図９を用い説明する。図８は、図２に示す空気調和機の吹出口付近の風の流れを示す模式図であり、図９は、図８においてルーバを全開した状態を示す模式図である。
【００２５】
本実施例１にかかる空気調和機１００は、ルーバ１６が全閉状態の時、図２に示す吸込口２１の白抜き矢印Ａから吸い込まれた室内の空気が空気通路２４内を通り、図８に示す白抜き矢印Ｂ、Ｃ、Ｄ、Ｅ、Ｆの経路で流れて、第２開口部１５から吹出される。この第２開口部１５は、上方を向いた開口部であるので、空気の流れとしては第２開口部１５を出る際に、上向きに吹出される。しかし、本実施例１にかかる空気調和機１００は、溝部１２の送風路の途中に取っ手部１３が配置されているため、送風される空気が取っ手部１３の下を潜ってから、第２開口部１５から吹出される。この空気の流れは、図８に示すように、ルーバ１６と取っ手部１３とその下部側に設けられた段差部１７とによって溝部１２を蛇行しながら流れ（白抜き矢印Ｄ参照）、第２開口部１５に設けられた緩やかな開口部斜面１９に沿って登り、そのまま吹出されるため、上面１８の操作パネル２３の上を水平方向に吹出すことが可能となる（白抜き矢印Ｆ参照）。
【００２６】
また、本実施例１にかかる空気調和機１００は、ルーバ１６が全開状態の時、図９に示すように、空気通路２４内を通過してきた白抜き矢印Ｂの空気が吹出口２２から第１開口部１４を通ってそのまま上方へ吹出される（白抜き矢印Ｇ参照）。また、図９に示すように、後述するオゾン発生ユニット７３内へ取り込まれた空気は（白抜き矢印Ｃ参照）、オゾンを含む空気となって、低濃度オゾン吹出口７８から外へ放出される（白抜き矢印Ｈ参照）。この時のオゾンを含む空気の流れは、取っ手部１３を挟んで左右に分岐され、第１開口部１４と第２開口部１５の両方から上方へ吹出される。
【００２７】
さらに、本実施例１にかかる空気調和機１００は、ルーバ１６の角度を所定の角度に調整することにより、そのルーバの角度に応じた方向に送風することが可能となる。これにより、空気調和機１００は、吹出し対象がカーテンや衣類のように種々の高さにあったとしても、オゾンやマイナスイオンを含む空気を対象に向けて効率良く吹出すことが可能となる。
【００２８】
このように、本実施例１の空気調和機１００は、図２に示すように、吸込口２１が筐体１０の上面１８の一部を水平方向に所定の深さと幅を持たせて堀り下げた溝部１２の底部に設けられているため、ルーバ１６を上面１８の位置とほぼ同じ高さに保ちつつ、溝部１２の中を水平方向に流れる送風路を作り出すことが可能となり、機器の大きさを小型化することができる。
【００２９】
また、本実施例１の空気調和機１００は、堀り下げられた溝部１２の深さを利用して、取っ手部１３を上面１８の中央に配置し、空気調和機１００を持ち上げる際に、手を溝部１２の中に入れて取っ手部１３を握ることが可能となるため、筐体を小型化しつつ、片手で安定して持ち運ぶことができる。特に、手を溝部１２に入れる第２開口部１５側は、斜面の傾斜を緩やかにした開口部斜面１９で構成されているため、より一層手が入れ易くなるという効果が得られる。
【００３０】
さらに、本実施例１の空気調和機１００は、図２示すように、取っ手部１３とルーバ１６とが接する部分よりも下部側に段差部１７が設けられているため、ルーバ１６が閉じられた状態で取っ手部１３を握る際に、より一層握り易くなるという利点がある。
【００３１】
また、本実施例１の空気調和機１００は、図９示すように、ルーバ１６を開くと取っ手部１３が出現するため、握り易く、どちらの方向からでもしっかり取っ手部１３を掴むことができる。
【実施例２】
【００３２】
次に、実施例２にかかる空気調和機１００の構成を図２、図８および図９を用いて説明する。図２に示す空気調和機１００は、筐体１０の内部に吸込口２１から吹出口２２までを結ぶ空気通路２４が形成されている。
【００３３】
この空気通路２４の途中に設けられた送風機２０は、ファンモータ２０ａとシロッコファンなどのファン２０ｂで構成されており、ファンモータ２０ａがファン２０ｂを回すことによって、吸込口２１から外部空気が機器内へ導入される（白抜き矢印Ａ参照）。
【００３４】
導入された空気は、既存の脱臭器等で使用されているプレフィルタ７０と集塵フィルタ７１を通過する間に、除塵される。そして、集塵フィルタ７１の風下側には、脱臭ユニット４０が配置されている。この脱臭ユニット４０は、触媒フィルタ４１を用いて脱臭処理を行うと共に、ヒータユニット４６により触媒フィルタ４１を定期的に加熱することで、触媒に付着した臭い成分の分解を促進し、触媒フィルタ４１を繰り返し再生できるようになっている。脱臭ユニット４０は、触媒フィルタ４１およびヒータユニット４６を両側から挟むように、通気性を有する一対の板状断熱材４２が配置されて構成されている。
【００３５】
脱臭ユニット４０のさらに風下側には、水を吸水して湿潤した状態で通過する空気に湿度を与える気化フィルタを含む加湿ユニット３０が配置されている。加湿ユニット３０で加湿された空気は、送風機２０のファン２０ｂによって空気通路２４を白抜き矢印ＢおよびＣ方向に送られ（図８、図９参照）、さらに白抜き矢印Ｄ、Ｅ、Ｆ、あるいは、白抜き矢印Ｇ、Ｈのように、吹出口２２、および低濃度オゾン吹出口７８を通って、第１開口部１４、あるいは、第２開口部１５から吐出される。
【００３６】
また、実施例２の空気調和機１００は、図２、図８および図９に示すように、オゾン発生ユニット７３を備えている。送風機２０により空気通路２４内を流通する空気は、白抜き矢印Ｂから白抜き矢印Ｃが分岐してオゾン発生ユニット７３内へ流入する。オゾン発生ユニット７３内へ取り込まれた空気は、水銀ランプなどのＵＶ（紫外線）ランプ７４で照射されると、オゾンが発生する。このオゾンは、加湿ユニット３０の気化フィルタの他、空気中の除菌や脱臭を行うことができる。このオゾン発生ユニット７３で発生した残留オゾンは、酸化チタンなどのオゾン分解触媒７７を通って分解され、低濃度オゾン吹出口７８から外へ放出される（白抜き矢印Ｅ参照）。
【００３７】
さらに、実施例２の空気調和機１００は、図２、図８および図９に示すように、マイナスイオンを発生するイオナイザ７９がここでは空気通路２４内に配置されている。イオナイザ７９は、針状の電極を備えており、電極に例えば数ｋＶの高電圧を印加すると、電極の先端でコロナ放電が生じ、マイナスイオンとオゾンを発生させる。イオナイザ７９から発生したマイナスイオンは、同じくイオナイザ７９やオゾン発生ユニット７３から発生したオゾンと反応して、強い酸化力を有するＯＨラジカルを生成する。
【００３８】
実施例２の空気調和機１００においては、上記実施例１と同様に、脱臭ユニット４０で脱臭された空気は、空気通路２４を通って吹出口２２から吹出されると、図８に示すルーバ１６が全閉状態の場合、ルーバ１６に沿って第２開口部１５へ向かって流れ、段差部１７で一旦押し下げられた後、溝部１２を伝って第２開口部１５から吹き出される一連の空気の流れが形成される。この空気は、イオナイザ７９が空気通路２４内に配置されているため、マイナスイオンを含んだ脱臭された空気となる。また、上記オゾン発生ユニット７３で発生したオゾンは、低濃度オゾン吹出口７８から外へ放出される際に（白抜き矢印Ｅ参照）、上記した脱臭された空気の流れ（白抜き矢印Ｄ参照）に取り込まれて合流し、第２開口部１５から水平方向に吹出される。ここで、上記した低濃度オゾン吹出口７８は、図８に示すように、吹出口２２の隣接位置から第２開口部１５付近までの幅を持っている。このため、図８の取っ手部１３の位置よりも吹出口２２に近い低濃度オゾン吹出口７８から放出されるオゾンは、吹出口２２から吹出される脱臭された空気の流れに取り込まれ（白抜き矢印ＤおよびＥ参照）、第２開口部１５へ送られる。また、図８の取っ手部１３の下から第２開口部１５寄りに設けられた低濃度オゾン吹出口７８から放出されるオゾンは、第２開口部１５に近いため、そのまま上方へ放出される可能性がある。しかし、この低濃度オゾン吹出口７８から放出されたオゾンは、吹出口２２から吹出される脱臭された空気の流れがあるため、これに抑えられて取り込まれ、第２開口部１５から水平方向に吹出される（白抜き矢印Ｄ、Ｅ、Ｆ参照）。
【００３９】
このように、実施例２の空気調和機１００は、ルーバ１６を全閉状態にすると、マイナスイオンおよび低濃度オゾンを含む脱臭空気を空気調和機の前方側（水平方向）に吹出すことができるので、床面付近のイオン濃度やオゾン濃度を上げることが可能となり、床に沈降するダニ、花粉、ペット由来のアレルゲン等を効果的に不活性化することができる。
【００４０】
また、実施例２の空気調和機１００において、図９に示すルーバ１６が全開状態の場合は、脱臭ユニット４０で脱臭された空気は、空気通路２４を通過し吹出口２２から第１開口部１４を通って上方へ吹出されると共に（白抜き矢印Ｇ参照）、オゾン発生ユニット７３で発生したオゾンを含む空気が低濃度オゾン吹出口７８を通って、第１開口部１４と第２開口部１５に分岐して上方へ吹出される（白抜き矢印Ｈ参照）ので、マイナスイオンあるいはオゾンを含まれた脱臭された空気を上方向にも吹出すことができる。
【実施例３】
【００４１】
次に、実施例３にかかる空気調和機１００は、図１の矢印Ｘ方向から見た図１０に示すように、棒状の取っ手部１３が空気調和機１００の上面１８の中央に、溝部１２の上を跨ぐように配置されると共に、溝部１２の両側から中央部に向かうに従って取っ手部１３の厚さを徐々に減少させるテーパー部１３ａ，１３ｂが形成されている。このテーパー部１３ａ，１３ｂは、テーパーの傾きやテーパーの形状を変えて形成することができ、これにより、取っ手部１３の持ち手部分の幅Ｉの長さを変えることができる。持ち手部分の幅Ｉの長さは、人の手で持つことを想定している。この実施例３では、取っ手部１３の持ち手部分の幅Ｉを１４０ｍｍとしているが、一例であってこれに限定されない。
【００４２】
また、取っ手部１３のテーパー部１３ａ，１３ｂは、その形状を変えることによって、図２に示す、第２開口部１５の開口面積を狭めたり、広げたりする調整が可能となる。この第２開口部１５の開口面積を狭めると吹出口２２から吹出される風速が上がり、開口面積を広げると吹出口２２から吹出される風速を下げることができる。特に、上記実施例では、図８と図９に示すように、ルーバ１６を開く角度を変えて第１開口部１４の開度を変化させることができ、また、テーパー部１３ａ，１３ｂをどのような形状にするかによっても第２開口部１５の開口面積を変えることができる。このように、第１開口部１４と第２開口部１５との開口面積の割合が適宜調節可能なため、ファンモータ２０ａの能力、省電力化、空気清浄を行う対象等に合わせて、最適な設計を行うことが可能となる。さらに、使用者は、マイナスイオンやオゾンを含む脱臭空気等の吹出し方向をルーバ１６によって変えられることは、非常に利便性が高い。
【００４３】
なお、上記実施例では、図１に示すように、ルーバ１６を単板で構成した例で説明したが、必ずしもこれに限定されず、連動して回動可能な並列された複数の板を用いてルーバを構成し、上下方向だけでなく、左右方向にも風向きを可変できるようにしても良い。これによって、吹出される風向きのムラを低減することができ、風向制御の面でより一層好ましい効果を得ることができる。
【００４４】
なお、上記実施例１〜３においては、一般的な空気調和機１００として説明したが、具体的には、空気清浄機、脱臭機、加湿器、および除湿器等に好適に適用することができる。
【産業上の利用可能性】
【００４５】
以上のように、本発明にかかる空気調和機は、本体を大型化することなく、片手でも安定して持ち運ぶことのできる空気調和機に有用であり、特に、本体上面に設けられた吹出口から吹出された空気の送風方向を可変できる空気調和機に適している。
【符号の説明】
【００４６】
１００  空気調和機
１０  筐体
１０ａ  軸受け部
１０ｂ  突起
１０ｃ  内壁部
１２  溝部
１３  取っ手部
１３ａ，１３ｂ  テーパー部
１３ｃ  爪部
１４  第１開口部
１５  第２開口部
１６  ルーバ
１６ａ  回転軸
１６ｂ  節度機構
１６ｃ  持ち手
１７  段差部
１８  上面
１９  開口部斜面
２０  送風機
２０ａ  ファンモータ
２０ｂ  ファン
２１  吸込口
２２  吹出口
２３  操作パネル
２４  空気通路
３０  加湿ユニット
４０  脱臭ユニット
４１  触媒フィルタ
４２  板状断熱材
４６  ヒータユニット
７０  プレフィルタ
７１  集塵フィルタ
７３  オゾン発生ユニット
７４  ＵＶランプ
７７  オゾン分解触媒
７８  低濃度オゾン吹出口
７９  イオナイザ
【図１】
2013032858.tif 000003
【図２】
2013032858.tif 000004
【図３】
2013032858.tif 000005
【図４】
2013032858.tif 000006
【図５】
2013032858.tif 000007
【図６】
2013032858.tif 000008
【図７】
2013032858.tif 000009
【図８】
2013032858.tif 000010
【図９】
2013032858.tif 000011
【図１０】
2013032858.tif 000012